(57)【要約】【課題】所定のエリアに存在する複数人の嗜好を勘案して、最適な画像・音声等の情報をそれらの複数人に対して提供する情報出力システム等を提供すること。【解決手段】集計サーバ６は、所定のエリアに存在する複数人の携帯端末２−１、２−２、２−ｎから情報を収集し、その収集した情報に基づいて複数人の嗜好を統計的に分析し、その嗜好に適合した出力情報を所定の画像・音声ＤＢ４より選択し、出力装置１は集計サーバ６が選択した出力情報を出力する。【選択図】図１
2010277251.tif 000002
【特許請求の範囲】
【請求項１】
集計サーバは、所定のエリアに存在する複数人の携帯端末から情報を収集し、その収集した情報に基づいて前記複数人の嗜好を統計的に分析し、その嗜好に適合した出力情報を所定のデータベースより選択し、
出力装置は前記集計サーバが選択した出力情報を出力することを特徴とする情報出力システム。
【請求項２】
前記出力情報は、少なくとも文字・静止画・動画・音声のいずれかを含むことを特徴とする請求項１記載の情報出力システム。
【請求項３】
前記携帯端末から収集する情報は、少なくとも登録情報、見ているネット使用度、お財布携帯の支払い状態の情報のいずれかを含むことを特徴とする請求項１または２記載の情報出力システム。
【請求項４】
前記出力情報の出力が終わると前記携帯端末からの感想情報をフィードバックＤＢに保管し、次回以降の嗜好分析に活用することを特徴とする請求項１から３のいずれか１項に記載の情報出力システム。
【請求項５】
前記所定のエリアは、乗り物の中であることを特徴とする請求項１から４のいずれか１項に記載の情報出力システム。
【請求項６】
どの車両にどのジャンルの映像・音楽等が出力されるか予め決定されており、
前記集計サーバは、切符予約時等に乗客が選択したジャンルの映像・音楽等が出力される車両の情報を保持している乗客分析データベースも参照して、前記複数人の嗜好を統計的に分析することを特徴とする請求項５記載の情報出力システム。
【請求項７】
所定のエリアに存在する複数人の携帯端末から情報を収集し、その収集した情報に基づいて前記複数人の嗜好を統計的に分析し、その嗜好に適合した出力情報を所定のデータベースより選択し、出力装置に選択した出力情報を出力させることを特徴とする集計サーバ。
【請求項８】
前記出力情報は、少なくとも文字・静止画・動画・音声のいずれかを含むことを特徴とする請求項７記載の集計サーバ。
【請求項９】
前記携帯端末から収集する情報は、少なくとも登録情報、見ているネット使用度、お財布携帯の支払い状態の情報のいずれかを含むことを特徴とする請求項７または８記載の集計サーバ。
【請求項１０】
前記出力情報の出力が終わると前記携帯端末からの感想情報をフィードバックＤＢに保管し、次回以降の嗜好分析に活用することを特徴とする請求項７から９のいずれか１項に記載の集計サーバ。
【請求項１１】
前記所定のエリアは、乗り物の中であることを特徴とする請求項７から１０のいずれか１項に記載の集計サーバ。
【請求項１２】
どの車両にどのジャンルの映像・音楽等が出力されるか予め決定されており、
切符予約時等に乗客が選択したジャンルの映像・音楽等が出力される車両の情報を保持している乗客分析データベースも参照して、前記複数人の嗜好を統計的に分析することを特徴とする請求項１１記載の集計サーバ。
【請求項１３】
所定のエリアに存在する複数人の携帯端末から情報を収集するステップと、その収集した情報に基づいて前記複数人の嗜好を統計的に分析するステップと、その嗜好に適合した出力情報を所定のデータベースより選択するステップと、出力装置に選択した出力情報を出力させるステップとを有することを特徴とする情報出力方法。
【請求項１４】
コンピュータに、所定のエリアに存在する複数人の携帯端末から情報を収集する処理と、その収集した情報に基づいて前記複数人の嗜好を統計的に分析する処理と、その嗜好に適合した出力情報を所定のデータベースより選択する処理と、出力装置に選択した出力情報を出力させる処理とを実行させることを特徴とするプログラム。
【発明の詳細な説明】
【技術分野】
【０００１】
本発明は、複数人の嗜好を反映した最適な情報を提供する技術に関する。
【背景技術】
【０００２】
電車・バス等の車両内は無機質な壁や床に囲まれている。そのため通勤・通学等で電車・バス等を利用する乗客は暗い表情をしていたり、目をつぶって混雑をやり過ごそうとしたりするなど、車両内の環境は圧迫かつ劣悪であることが多い。
イライラしたり、無関心な顔をしている人が多く、生活時間の約１〜３時間に及ぶこともある多大な時間を割かなければなりない車両内での環境は大切である。
【０００３】
車両内の表示装置に宣伝広告を目的としたＣＭやニュースが流されていることもあるが、必ずしも乗客が求めている情報であるとは限らず、まして乗客の嗜好が反映されているものでもない。
【０００４】
関連技術として、画像表示制御装置は、ユーザの画像の好み度を示す嗜好レベルを用いて、多数の画像の中からユーザの好みの画像を抽出して、表示／出力部に表示させる技術が提案されている（例えば、特許文献１参照）。
【先行技術文献】
【特許文献】
【０００５】
【特許文献１】再特ＷＯ２００６０２５２０９号公報
【発明の概要】
【発明が解決しようとする課題】
【０００６】
しかしながら、上述の関連技術では、個人の嗜好に応じた画像を抽出することはできても、電車・バス等の車両内を含む所定の施設内、さらには屋外も含めた所定のエリアに存在する複数人の嗜好を勘案して、最適な画像・音声等の情報をそれらの複数人に対して提供することは困難であった。
【０００７】
本発明は、以上のような課題を解決するためになされたもので、所定のエリアに存在する複数人の嗜好を勘案して、最適な画像・音声等の情報をそれらの複数人に対して提供する情報出力システム、集計サーバ、情報出力方法およびプログラムを提供することを目的とする。
【課題を解決するための手段】
【０００８】
本発明の情報出力システムは、集計サーバは、所定のエリアに存在する複数人の携帯端末から情報を収集し、その収集した情報に基づいて前記複数人の嗜好を統計的に分析し、その嗜好に適合した出力情報を所定のデータベースより選択し、
出力装置は前記集計サーバが選択した出力情報を出力することを特徴とする。
【０００９】
また、本発明の集計サーバは、所定のエリアに存在する複数人の携帯端末から情報を収集し、その収集した情報に基づいて前記複数人の嗜好を統計的に分析し、その嗜好に適合した出力情報を所定のデータベースより選択し、出力装置に選択した出力情報を出力させることを特徴とする。
【００１０】
また、本発明の情報出力方法は、所定のエリアに存在する複数人の携帯端末から情報を収集するステップと、その収集した情報に基づいて前記複数人の嗜好を統計的に分析するステップと、その嗜好に適合した出力情報を所定のデータベースより選択するステップと、出力装置に選択した出力情報を出力させるステップとを有することを特徴とする。
【００１１】
また、本発明のプログラムは、コンピュータに、所定のエリアに存在する複数人の携帯端末から情報を収集する処理と、その収集した情報に基づいて前記複数人の嗜好を統計的に分析する処理と、その嗜好に適合した出力情報を所定のデータベースより選択する処理と、出力装置に選択した出力情報を出力させる処理とを実行させることを特徴とする。
【発明の効果】
【００１２】
本発明によれば、所定のエリアに存在する複数人の嗜好を勘案して、最適な画像・音声等の情報をそれらの複数人に対して提供することができる。
【図面の簡単な説明】
【００１３】
【図１】本発明の第一の実施の形態に係るシステム構成を示す図である。
【図２】本発明の第一の実施の形態に係る集計サーバの機能ブロック図である。
【図３】本発明の第一の実施の形態に係るシステムの全体の動作を示すフローチャートである。
【図４】本発明の第二の実施の形態に係るシステム構成を示す図である。である。
【図５】本発明の第二の実施の形態に係るシステムの全体の動作を示すフローチャートである。
【発明を実施するための形態】
【００１４】
以下、本発明の第一の実施の形態について図面を参照して詳細に説明する。図１に示す本実施の形態における情報出力システムは、電車の車両内に張り巡らせた出力装置１と、乗客の持つ携帯端末２−１、２−２、２−ｎ（ｎは３以上の整数）と、電車サーバ６とから構成されている。電車サーバ６は、乗客分析ＤＢ３、画像・音声ＤＢ４およびフィードバックＤＢ５を備えている。携帯端末２−１、２−２、２−ｎと電車サーバ６とは無線ネットワークで接続されている。
【００１５】
出力装置１は、文字・静止画・動画・音声等を出力する装置であり、例えば、高画質ＬＣＤやスピーカであって、電車の車両内の床、壁、天井全てに張り巡らされていてもよい。この出力装置１には、綺麗な草原、晴れ渡る空、宇宙空間等の映像などを３Ｄで表示し、適切なＢＧＭを流し、車両内の空間をより広く、快適に過ごせるよう乗客の好みに合わせて選択して映し出す。
文字・静止画・動画・音声等の出力方法は既知の種々の技術が用いられてよい。
【００１６】
乗客の携帯端末２−１、２−２、２−ｎは、例えば、乗客が所有している携帯電話端末であって、この携帯電話端末から発せられる電波にのせて、乗客の趣向・嗜好に関する情報等を電車サーバ６へ送信する。
【００１７】
電車サーバ６は、電車の所定位置に設置された情報処理装置であって、乗客の携帯端末２−１、２−２、２−ｎからの情報を受信し、それを乗客分析ＤＢ３、画像・音声ＤＢ４およびフィードバックＤＢ５へ送信する。また乗客分析ＤＢ３、画像・音声ＤＢ４およびフィードバックＤＢ５からの出力情報選択判断結果を受信し、その情報を出力装置１へ送信することで、出力装置１にその情報を出力するよう指示を出す。
電車サーバ６の機能ブロックの一例を、図２に示す。
電車サーバ６は、通信部６１、乗客分析部６２、フィードバック部６３を備えている。通信部６１は、乗客の携帯端末２−１、２−２、２−ｎとの情報のやりとりを行う機能を有している。乗客分析部６２は、乗客分析ＤＢ３を参照して乗客の趣向・嗜好を分析し平均的な画像等がどれに当たるかを決定したり、マッチングの多い画像等がどれに当たるかを決定したりする機能を有している。フィードバック部６３は、今回の画像・音声等の提供の結果をアンケート等で乗客の携帯端末２に送信し、結果を受信して統計を取り、次回の放映につながるフィードバックを行う機能を有している。
【００１８】
乗客分析ＤＢ３は、車両内にいる乗客の趣向データを集約する。切符予約時等にどのジャンルの映像・音楽等が出力される車両が良いか乗客が選択し、その情報等を保持しておくＤＢである。
【００１９】
画像・音声ＤＢ４は、文字・静止画・動画・音声等のＤＢであり、果てしない草原や、晴れ渡る空、澄み切った満天の星空や、宇宙空間、真っ白な雪原、湖や川の映像や、なつメロ、ポップスの音楽などが取り込まれている。映像や音楽等は各ジャンルに分類されていてもよい。
【００２０】
フィードバックＤＢは、車両内に出力して乗客に提供された画像・音声等のアンケート結果を格納するＤＢである。
【００２１】
以下、本発明の実施の形態の動作について図３を参照して詳細に説明する。
まず、電車サーバ６は、通信部６１により、乗客の携帯端末２−１、２−２、２−ｎにアクセスする（ステップＡ１）。
【００２２】
そして、乗客の携帯端末２−１、２−２、２−ｎの登録情報、見ているネット使用度、お財布携帯の支払い状態の情報を取得する（ステップＡ２）。なお、乗客は所有している携帯端末２−１、２−２、２−ｎから画像等を流したいか電車サーバ６に直接リクエストを送信することであってもよい。
【００２３】
電車サーバ６は、乗客分析部６２により、ステップＡ２で収集した情報をもとに、統計を取るなどしてその車両に乗っている乗客の好みの画像データが何に当たるか分析を行う（ステップＡ３）。すなわち、各人の好みを分析し、数ある映像パターンからその車両に乗っている乗客の好みの平均を取って画像・音声ＤＢ４を参照して流す映像・音楽等を決定する。なお、切符予約時等にどのジャンルの映像・音楽等が出力される車両が良いか乗客が選択し、その情報等を保持している乗客分析ＤＢ３を参照してもよい。また、フィードバックＤＢ５の情報が存在する場合にはそれが活用される。
具体的には、各乗客の見ているネット情報より、統計的に最も人気のある分野を算出し、当該分野に関連する画像・音声を選択する。また、直接リクエストがあったものに重み付けをして算出することであってもよい。
【００２４】
ステップＡ３の分析結果を元に画像・音声ＤＢ４から文字・静止画・動画・音声等を選択する（ステップＡ４）。
【００２５】
電車サーバ６は、通信部６１により、判断選択結果に基づいて、出力装置１に文字・静止画・動画・音声等を出力するよう指示を出す（ステップＡ５）。これにより出力装置１に映像等が表示等され、乗客に伝達される。
【００２６】
出力装置１からの文字・静止画・動画・音声等の出力が終わると乗客の携帯端末２−１、２−２、２−ｎから今回の放映等のアンケート形式等による感想等を電車サーバ６に送信し、そのデータがフィードバックＤＢ５で管理される（ステップＡ６）。このフィードバックデータは次回に生かされる。
【００２７】
上記の本実施の形態によれば、都会の喧騒、殺伐とした中でも人々の好みにあった心を癒す瑞々しい車内空間とすることができる。
【００２８】
なお、上記の実施の形態では、説明の容易化のため、電車を例にとりあげたが、電車に限らず種々のし車両や船舶等の乗り物に広く適用可能である。さらに、屋内施設や屋外施設に複数人が集合する場合にも適用可能である。
【００２９】
次に、本発明の第二の実施の形態について図面を参照して説明する。
図４に本実施の形態のシステム構成図を示した。図１に示す上記の第一の実施の形態とは、さらに広告ＤＢ１７も追加することで、映像等の合間に乗客に適した広告を選択し、反映させる点が異なる。これによりバーチャル商店街なども実現可能である。
【００３０】
広告ＤＢ１７は、文字・静止画・動画・音声等の様々な広告各種を取り揃え、管理しているＤＢである。
【００３１】
図５に本実施の形態の処理フローを示した。この処理フローも上記の第一の実施の形態に関する図３とほぼ同様だが、分析結果を元に広告ＤＢ１７から広告を選択するステップＢ３、ステップＢ４が図３の処理フローと大きく違っている。すなわち、電車サーバ６は、乗客分析部６２により、各人の好みを分析し、数ある映像パターンからその車両に乗っている乗客の好みの平均を取って流す映像・音楽等を決定するが、流す広告を映像・音楽等との関連や、乗客の好みに関係付けたものを選択することで広告効果を高めることができる。
【００３２】
なお、上述する各実施の形態は、本発明の好適な実施の形態であり、本発明の要旨を逸脱しない範囲内において種々変更実施が可能である。例えば、電車サーバ６の機能を実現するためのプログラムを装置に読込ませて実行することにより装置の機能を実現する処理を行ってもよい。さらに、そのプログラムは、コンピュータ読み取り可能な記録媒体であるＣＤ−ＲＯＭまたは光磁気ディスクなどを介して、または伝送媒体であるインターネット、電話回線などを介して伝送波により他のコンピュータシステムに伝送されてもよい。また、各装置の機能が他の装置によりまとめて実現されたり、追加の装置により機能が分散されて実現される形態も本発明の範囲内である。
【符号の説明】
【００３３】
１    出力装置
２−１、２−２、２−ｎ    携帯端末
３    乗客分析ＤＢ
４    画像・音声ＤＢ
５    フィードバックＤＢ
６    電車サーバ
【図１】
2010277251.tif 000003
【図２】
2010277251.tif 000004
【図３】
2010277251.tif 000005
【図４】
2010277251.tif 000006
【図５】
2010277251.tif 000007